(57)【特許請求の範囲】
【請求項１】
暖房用の熱媒体管を床内に配管すべく、前記熱媒体管を収容する管収容溝を備えて、一定間隔で配設された根太間に配備される、長辺と短辺とを備えた長方形状のパネルであって、
前記管収容溝は、前記熱媒体管を前記根太に沿う一方向に真直ぐ配管するために、長手方向が前記根太に沿うように縦にして隣合う前記根太間に配備される前記パネルの、両側の前記短辺に達するようにして前記長手方向に沿って直線状に延びる第１の管収容溝と、長手方向が前記根太に沿うように縦にして隣合う前記根太間に配備される他のパネルの前記第１の管収容溝に繋がって前記熱媒体管を戻るように配管するために、長手方向が前記根太を挟む両側に渡るように横にして、一つあるいは二つ以上飛ばした前記根太間に配備される前記パネルの、一の前記長辺の、前記根太を挟む各側に、端部が達するように湾曲して延びる第２の管収容溝とからなり、それら第１の管収容溝と第２の管収容溝とが、１枚の前記パネルの、一方の面と他方の面とに別々に設けられ、あるいは、同じ面に設けられ、
前記第１の管収容溝と前記第２の管収容溝との使い分けにより、前記熱媒体管を、真直ぐ配管することも、戻るように配管することもできることを特徴とする床暖房用パネル。
【請求項２】
前記第２の管収容溝の端部間には、前記根太を収容する根太収容空間を形成するために、切除可能な切除可能部が、前記第２の管収容溝部分を分断しないようにして、前記短辺に平行に設けられていることを特徴とする請求項１に記載の床暖房用パネル。
【請求項３】
前記パネルには、前記切除可能部の外縁を形成するように、掘り込み線が設けられていることを特徴とする請求項２に記載の床暖房用パネル。
【請求項４】
前記第２の管収容溝は、前記長手方向に並ぶように複数設けられていることを特徴とする請求項１ないし３のいずれか１項に記載の床暖房用パネル。
【発明の詳細な説明】
【技術分野】
【０００１】
この発明は、熱媒体管を収容する管収容溝を備えた床暖房用パネルに関するものである。
【背景技術】
【０００２】
従来、床暖房を構築するために、根太間に配備されるパネルとして、断熱材からなるパネルに、熱媒体管を収容する溝を備えたものがあった（例えば、特許文献１参照）。図１６に示されるように、このパネル２０は、上面に、長手方向に平行に延びる二本の直線溝２１、２１と、それら二本の直線溝２１、２１の途中位置にて、二本の直線溝２１、２１を繋ぐ半円弧状溝２２、２２と、その半円弧状溝２２、２２からさらに側方に延びる１／４円弧状溝２３、２３とを備えていた。そして、このパネル２０は、図１７に示されるように、隣合う根太２４、２４間のそれぞれに、根太２４に沿って配備された。そこで、パネル２０は、前記直線溝２１と半円弧状溝２２と１／４円弧状溝２３とが適宜使い分けられ、この一種類のパネル２０によって、熱媒体管２５の配管路全体が形成された。
【０００３】
【特許文献１】特開平１０−２１９９２５
【発明の開示】
【発明が解決しようとする課題】
【０００４】
ところで、前記従来のパネル２０にあっては、隣合う根太２４、２４間のそれぞれに、根太２４に沿って配備されていたため、熱媒体管２５が、根太２４を分断するようにして、その根太２４を横切る部分においては、その熱媒体管２５をパネル２０で覆うことができなかった。そのため、この根太２５を横切る部分において、熱媒体管２５の熱が逃げて、暖房効率が低下するといった問題があった。
【０００５】
この発明は、上記した従来の欠点を解決するためになされたものであり、その目的とするところは、暖房効率を高めることができる床暖房用パネルを提供することにある。
【課題を解決するための手段】
【０００６】
この発明に係る床暖房用パネルは、前記目的を達成するために、次の構成からなる。すなわち、
請求項１に記載の発明に係る床暖房用パネルは、暖房用の熱媒体管を床内に配管すべく、前記熱媒体管を収容する管収容溝を備えて、一定間隔で配設された根太間に配備される、長辺と短辺とを備えた長方形状のパネルである。ここにおいて、前記管収容溝は、前記熱媒体管を前記根太に沿う一方向に真直ぐ配管するために、長手方向が前記根太に沿うように縦にして隣合う前記根太間に配備される前記パネルの、両側の前記短辺に達するようにして前記長手方向に沿って直線状に延びる第１の管収容溝と、長手方向が前記根太に沿うように縦にして隣合う前記根太間に配備される他のパネルの前記第１の管収容溝に繋がって前記熱媒体管を戻るように配管するために、長手方向が前記根太を挟む両側に渡るように横にして、一つあるいは二つ以上飛ばした前記根太間に配備される前記パネルの、一の前記長辺の、前記根太を挟む各側に、端部が達するように湾曲して延びる第２の管収容溝とからなり、それら第１の管収容溝と第２の管収容溝とが、１枚の前記パネルの、一方の面と他方の面とに別々に設けられ、あるいは、同じ面に設けられ、前記第１の管収容溝と前記第２の管収容溝との使い分けにより、前記熱媒体管を、真直ぐ配管することも、戻るように配管することもできる。
【０００７】
これにより、熱媒体管を根太に沿う一方向に真直ぐ配管する所には、このパネルを、その第１の管収容溝の延びる方向、すなわちこのパネルの長手方向が、根太に沿うように、縦にして、隣合う根太間に配備する。そして、熱媒体管を戻るように配管する所には、このパネルを、長手方向が根太を挟む両側に渡るように横にして、一つあるいは二つ以上飛ばした根太間に配備する。このとき、第２の管収容溝は、このパネルの一の長辺の、根太を挟む各側に、端部が達するように湾曲して延びている。すなわち、第２の管収容溝は、根太を横切って延びており、この根太を横切る部分において、熱媒体管は、第２の管収容溝に収容されて、その熱媒体管の熱の消失を避けることができる。
【０００８】
また、請求項２に記載の発明に係る床暖房用パネルのように、請求項１に記載の床暖房用パネルにおいて、前記第２の管収容溝の端部間には、前記根太を収容する根太収容空間を形成するために、切除可能な切除可能部が、前記第２の管収容溝部分を分断しないようにして、前記短辺に平行に設けられてもよい。
【０００９】
また、請求項３に記載の発明に係る床暖房用パネルのように、請求項２に記載の床暖房用パネルにおいて、前記パネルには、前記切除可能部の外縁を形成するように、掘り込み線が設けられてもよい。これにより、パネルを、切除可能部の外縁を形成する掘り込み線部分でカットすることで、切除可能部は、簡単に切除される。
【００１０】
また、請求項４に記載の発明に係る床暖房用パネルのように、請求項１ないし３のいずれか１項に記載の床暖房用パネルにおいて、前記第２の管収容溝は、前記長手方向に並ぶように複数設けられてもよい。
【発明の効果】
【００１１】
この発明に係る床暖房用パネルによれば、第１の管収容溝と第２の管収容溝を使い分けて、熱媒体管を真直ぐ配管することも、戻るように配管することもできる。しかも、熱媒体管を戻るように配管する所では、パネルを、長手方向が根太を挟む両側に渡るように、横にして配備することで、根太を横切る部分において、熱媒体管は、第２の管収容溝に収容されて、その熱媒体管の熱の消失を避けることができ、このパネルによる暖房効率を高めることができる。
【発明を実施するための最良の形態】
【００１２】
以下、この発明に係る床暖房用パネルを実施するための最良の形態を図面に基づいて説明する。
【００１３】
図１ないし図１４は、本発明の一実施の形態を示す。図中符号１は、建物の床である。２は、暖房用の熱媒体管、すなわち、温水等の熱媒体が通る管である。３は、パネルである。このパネル３は、熱媒体管２を床１内に配管すべく、熱媒体管２を収容する管収容溝４を備えて、床１内に並んで配備される。
【００１４】
ここで、床１は、下地床１ａと、その下地床１ａ上に一定間隔で配設された根太１ｂと、同じく下地床１ａ上に、根太１ｂの両端位置においてその根太１ｂに直交して配設された補助根太１ｃと、根太１ｂ（補助根太１ｃを含む）上に配設される床材としてのフローリング１ｄとから構成されている。
【００１５】
パネル３は、断熱材、例えば発泡ポリスチレン樹脂等の発泡合成樹脂からなる。そして、このパネル３は、前記根太１ｂ、１ｂ間に配備される、長辺３ｃと短辺３ｄとを備えた長方形状のパネルである。このパネル３の前記管収容溝４は、第１の管収容溝４ａと第２の管収容溝４ｂとからなる。第１の管収容溝４ａは、熱媒体管２を根太１ｂに沿う一方向に真直ぐ配管するために、長手方向が根太１ｂに沿うように縦にして配備されるパネル３の、両側の短辺３ｄ、３ｄに達するようにしてパネル３の長手方向に沿って直線状に延びる。第２の管収容溝４ｂは、他のパネル３の前記第１の管収容溝４ｂに繋がって熱媒体管２を戻るように配管するために、長手方向が根太１ｂを挟む両側に渡るように横にして配備されるパネル３の、一の前記長辺３ｃの、根太１ｂを挟む各側に、端部４ｃが達するように湾曲して延びる。そして、図示実施の形態においては、第１の管収容溝４ａは、パネル３の一方の面３ａに設けられ、第２の管収容溝４ｂは、パネル３の他方の面３ｂに設けられている。
【００１６】
詳細には、パネル３は、熱媒体管２を根太１ｂに沿う前記一方向に真直ぐ配管するために、前記第１の管収容溝４ａが設けられた一方の面３ａを上にして、長手方向が根太１ｂに沿うように縦にして、隣合う根太１ｂ、１ｂ間に嵌まるように配備される。この第１の管収容溝４ａは、一本あるいは複数本（図示実施の形態においては、二本）設けられ、その第１の管収容溝４ａの少なくとも一本（図示実施の形態においては、一本であって、図３において、破線で示す上側の溝）は、後に詳述する第２の管収容溝４ｂとは、パネル３の長手方向と直交する幅方向において相違する位置に設けられている。そして、このパネル３の一方の面３ａには、第１の管収容溝４ａを挟むようにしてその第１の管収容溝４ａに沿って、僅かに（例えば、０．１ｍｍ程度）下がる段部５が設けられている。なお、熱媒体管２の配管にあたって、この第１の管収容溝４ａを用いる場合には、パネル３は、その長さのままの形で、あるいは、その長さが適宜寸法となるように切断された形で使用される。
【００１７】
また、パネル３は、熱媒体管２を前記一方向の配管の端側において戻るように配管するために、前記第２の管収容溝４ｂが設けられた他方の面３ｂを上にして、長手方向が根太１ｂを挟む両側に渡るように横にして配備される。図示実施の形態においては、第２の管収容溝４ｂは、四つの端部４ｃ、４ｃを備えている。そして、中間の二つの端部４ｃ、４ｃと、それら二つの端部４ｃ、４ｃを繋ぐ第１連通部４ｄとで、略Ｕ字状の内周側管収容溝４０１が形成される。また、外側の二つの端部４ｃ、４ｃと、それら二つの端部４ｃ、４ｃを繋ぐ第２連通部４ｅとで、前記内周側管収容溝４０１を囲む、略Ｕ字状の外周側管収容溝４０２が形成される。さらに、前記四つの端部４ｃ、４ｃにおける、パネル３の長手方向のそれぞれの側の二つの端部４ｃ、４ｃと、それら二つの端部４ｃ、４ｃを繋ぐ第３連通部４ｆとで、略Ｕ字形状の他の管収容溝４０３が形成される。そこで、内周側管収容溝４０１と外周側管収容溝４０２とのそれぞれが、一の長辺３ｃの、根太１ｂを挟む各側に、端部４ｃが達するように湾曲して延びる前記第２の管収容溝４ｂとなる。
【００１８】
また、パネル３は、第２の管収容溝４ｂ（図示実施の形態においては、内周側管収容溝４０１とか外周側管収容溝４０２）の端部４ｃ、４ｃ間に、床１を構成する前記根太１ｂを収容する根太収容空間６を形成するために、切除可能な切除可能部７、７が、第２の管収容溝４ｂ（図示実施の形態においては、内周側管収容溝４０１とか外周側管収容溝４０２）部分を分断しないように、それら切除可能部７、７間に後述する連結部８が形成されるようにして、パネル３の短辺３ｄに平行に設けられている。こうして、この切除可能部７、７によって分けられるパネル３の各側は、切除可能部７、７間の、第２の管収容溝４ｂ（詳細には、第１連通部４ｄと第２連通部４ｅ）が通る連結部８によって繋がることとなる。そして、第２の管収容溝４ｂ（図示実施の形態においては、内周側管収容溝４０１とか外周側管収容溝４０２）は、パネル３の一の長辺３ｃの、根太１ｂを挟む各側に、端部４ｃが達するように湾曲して延びることとなる。また、このパネル３の他方の面３ｂには、前記切除可能部７の外縁を形成するように、掘り込み線７ａが設けられている。ここにおいて、掘り込み線７ａは、溝状に形成されているが、例えば、多数の孔がミシン目の如く並んで形成されても構わない（後述する掘り込み線３ｅにおいても同様）。
【００１９】
ところで、第２の管収容溝４ｂ（内周側管収容溝４０１、外周側管収容溝４０２）および他の管収容溝４０３は、パネル３の長手方向に並ぶように複数（図示実施の形態においては、二組み）設けられている。そして、これら二組みの管収容溝４ｂ、４ｂの間には、このパネル３の他方の面３ｂに、掘り込み線３ｅが、パネル３を横断するように、短辺３ｄに平行に設けられている。そして、熱媒体管２の配管に、この第２の管収容溝４ｂを用いる場合には、パネル３は、掘り込み線３ｅで分割されるとともに切除可能部７、７が切除された中パネル３０１の形で使用される（図５参照）。すなわち、この中パネル３０１は、長手方向が根太１ｂを挟む両側に渡るように横にして、一つ飛ばしの根太１ｂ、１ｂ間に配備される。さらに、場合によっては、パネル３は、中パネル３０１の切除可能部７、７および切除可能部７、７間の連結部８が切除されて分割された小パネル３０２の形で使用される（図６参照）。すなわち、この小パネル３０２は、隣合う根太１ｂ、１ｂ間に配備される。なお、図中符号９は、第１の管収容溝４ａと第２の管収容溝４ｂとが交差する部分にできる通孔である。このように、パネル３の肉厚が薄い場合には、第１の管収容溝４ａと第２の管収容溝４ｂとが連通して通孔９、９ができるが、パネル３の肉厚を厚くすれば、第１の管収容溝４ａと第２の管収容溝４ｂとが連通することはなく、通孔９が形成されることはない。
【００２０】
次に、このパネル３を用いた、熱媒体管２の施工方法について説明する。始めに、図７に示すように、下地床１ａに、根太１ｂと補助根太１ｃとを配設する。ここで、根太１ｂには、熱媒体管２が横切る部分に（図示実施の形態においては、一定間隔で並ぶ根太１ｂ、１ｂの、両端付近に交互に）、根太１ｂを切り離すようにして通路１ｅを設けておく。その後、図８に示すように、湾曲して延びる第２の管収容溝４ｂが設けられた他方の面３ｂを上にした中パネル３０１を、通路１ｅのある位置（図示実施の形態においては、根太１ｂの端側）において、長手方向が通路１ｅのある根太１ｂを挟む両側に渡るように横にして配備する。このとき、中パネル３０１の連結部８が通路１ｅに嵌まり、中パネル３０１の根太収容空間６、６に、根太１ｂの一部が収容される。そして、中パネル３０１、３０１が並ぶ最端（図示実施の形態においては、下地床１ａにおける右上部分および左下部分）に、同じく、湾曲して延びる他の管収容溝４０３等が設けられた他方の面３ｂを上にした小パネル３０２を配備する。
【００２１】
さらに、図９に示すように、直線状に延びる第１の管収容溝４ａが設けられた一方の面３ａを上にしたパネル３を、先に配備されている中パネル３０１、３０１どうし、あるいは中パネル３０１と小パネル３０２とを繋ぐようにして、隣合う根太１ｂ、１ｂ間に配備する。このパネル３は、配備する前記一方向の長さに応じて、適宜枚数が並べられたり、切断されたりする。このとき、一方の面３ａを上にしたパネル３の第１の管収容溝４ａと、他方の面３ｂを上にした中パネル３０１の第２の管収容溝４ｂとが連通し、また、一方の面３ａを上にしたパネル３の第１の管収容溝４ａと、他方の面３ｂを上にした小パネル３０２の他の管収容溝４０３等とが連通する。そして、このパネル３の第１の管収容溝４ａの内面から、パネル３の上面（一方の面３ａ）、特に第１の管収容溝４ａを挟む部分となる段部５、５に渡るようにして、その第１の管収容溝４ａに沿って、アルミテープ等の熱伝達部材１０を貼着（配置）する（図１０参照）。もっともこの熱伝達部材１０の貼着（配置）は、パネル３を配備する前に行ってもよい。また、前記パネル３と中パネル３０１と小パネル３０２との配備する順序は、特に問わない。
【００２２】
その後、図１１に示すように、熱媒体管２を、それぞれのパネル３（中パネル３０１を含む）の管収容溝４ａ、４ｂ、および小パネル３０２の他の管収容溝４０３等に挿入するようにして配管する。次いで、図１２に示すように、パネル３（中パネル３０１を含む）および小パネル３０２上に、アルミシート等の熱伝達部材１１を貼着（配置）する。そして、最後に、図１３および図１４に示すように、床材としてのフローリング１ｄを敷き詰める。
【００２３】
次に、以上の構成からなる床暖房用パネル３の作用効果について説明する。このパネル３によると、熱媒体管２を根太１ｂに沿う一方向に真直ぐ配管する所には、このパネル３を、直線状に延びる第１の管収容溝４ａが設けられた一方の面３ａを上に向けて、その第１の管収容溝４ａの延びる方向、すなわちこのパネル３の長手方向が、根太１ｂに沿うように、縦にして配備する。そして、熱媒体管２を前記一方向の配管の端側において戻るように配管する所には、このパネル３（詳細には、中パネル３０１）を、湾曲して延びる第２の管収容溝４ｂが設けられた他方の面３ｂを上に向けるとともに、その第２の管収容溝４ｂが前記第１の管収容溝４ａに繋がるようにして配備する。こうして、第１の管収容溝４ａと第２の管収容溝４ｂを使い分けて、熱媒体管２を真直ぐ配管することも、戻るように配管することもできる。そして、熱媒体管２を戻るように配管する所では、パネル３（中パネル３０１）は、長手方向が根太１ｂを挟む両側に渡るように、横にして配備される。このとき、第２の管収容溝４ｂ（図示実施の形態においては、内周側管収容溝４０１とか外周側管収容溝４０２）は、このパネル３（中パネル３０１）の一の長辺３ｃの、根太１ｂを挟む各側に、端部４ｃが達するように湾曲して延びている。すなわち、第２の管収容溝４ｂは、根太１ｂを横切って延びており、この根太１ｂを横切る部分において、熱媒体管２は、第２の管収容溝４ｂに収容されている。つまり、パネル３（中パネル３０１）を、長手方向が根太１ｂを挟む両側に渡るように、横にして配備することで、根太１ｂを横切る部分において、熱媒体管２は、第２の管収容溝４ｂに収容されて、その熱媒体管２の熱の消失を避けることができ、このパネル３（中パネル３０１）による暖房効率を高めることができる。
【００２４】
また、一方の面３ａを上にしたパネル３には、直線状に延びる第１の管収容溝４ａに沿って、その第１の管収容溝４ａの内面を含めてパネル３の上面（一方の面３ａ）に、アルミテープ等の熱伝達部材１０を配置する。ここで、直線状に延びる第１の管収容溝４ａは、一方の面３ａに設けられ、湾曲して延びる第２の管収容溝４ｂは、他方の面３ｂに設けられているため、一方の面３ａ上に第２の管収容溝４ｂが表れることはなく、そのため、その一方の面３ａにおいて、第１の管収容溝４ａ部分に配置される熱伝達部材１０が第２の管収容溝４ｂ内に撓むこともない。したがって、熱伝達部材１０は、パネル３上のフローリング１ｄに密接することができ、その結果、熱媒体管２の熱を、パネル３上のフローリング１ｄに十分に伝えることができ、暖房効率を高めることができる。しかも、パネル３には掘り込み線７ａ、３ｅが設けられるものの、その掘り込み線７ａ、３ｅは、パネル３の他方の面３ｂに設けられて、一方の面３ａには設けられていない。このため、この掘り込み線７ａ、３ｅによって暖房効率が下がるようなこともない。なお、図示実施の形態においては、この熱伝達部材１０の上には、他の熱伝達部材１１が配置されており、この熱伝達部材１０は、他の熱伝達部材１１を介して、すなわち間接的にパネル３上のフローリング１ｄに密接することとなる。もっとも、他の熱伝達部材１１を設けなければ、熱伝達部材１０は、直接的にパネル３上のフローリング１ｄに密接する。
【００２５】
また、パネル３の一方の面３ａに設けられた二本の第１の管収容溝４ａ、４ａの内の一本は、パネル３の他方の面３ｂに設けられた第２の管収容溝４ｂとは、パネル３の長手方向と直交する幅方向において相違する位置に設けられている。したがって、パネル３の肉厚が薄い場合であっても、この第１の管収容溝４ａの一本と、第２の管収容溝４ｂとが通ずることはなく、その部分から熱媒体管２の熱が逃げることがない。
【００２６】
また、パネル３には、根太収容空間６を形成するための切除可能部７が設けられており、湾曲して延びる第２の管収容溝４ｂを用いる場合には、前記切除可能部７を切除して根太収容空間６を形成する。この際、パネル３を、切除可能部７の外縁を形成する掘り込み線７ａ部分でカットすることで、切除可能部７は、簡単に切除される。
【００２７】
なお、本発明は、上述した実施の形態に限定されるわけではなく、その他種々の変更が可能である。例えば、第２の管収容溝４ｂは、パネル３の長手方向に並ぶように二組み設けられているが、三組以上設けられてもよく、また、反対に一組みのみであってもよい。また、この第２の管収容溝４ｂを用いる場合には、パネル３（中パネル３０１）は、長手方向が根太１ｂを挟む両側に渡るように横にして配備されるが、このとき、パネル３（中パネル３０１）は、一つ飛ばしの根太１ｂ、１ｂ間に配備されなくとも、二つ飛ばしの、あるいはそれ以上飛ばした根太１ｂ、１ｂ間に配備されるものであってもよい。
【００２８】
また、切除可能部７は、第２の管収容溝４ｂとなる内周側管収容溝４０１の第１連通部４ｄと、同じく第２の管収容溝４ｂとなる外周側管収容溝４０２の第２連通部４ｅとを挟む両側に設けられているが、その片側にのみ設けられてもよい。さらに、この切除可能部７は、必要なければなくともよい。
【００２９】
また、管収容溝４は、第１の管収容溝４ａが、パネル３の一方の面３ａに設けられ、第２の管収容溝４ｂが、パネル３の他方の面３ｂに設けられるというように、第１の管収容溝４ａと第２の管収容溝４ｂとが、パネル３の別々の面に設けられているが、図１５に示すように、第１の管収容溝４ａと第２の管収容溝４ｂとの両方が、パネル３の同じ面（一の面３ｆ）に設けられても構わない。ところで、図示実施の形態においては、第２連通部４ｅと第３連通部４ｆとは、その一部が、第１の管収容溝４ａの一つと共通するように形成されている。
【図面の簡単な説明】
【００３０】
【図１】この発明の一実施の形態の、パネルの平面図である。
【図２】同じく、図１におけるＡ矢視図である。
【図３】同じく、パネルの底面図である。
【図４】同じく、図３におけるＢ矢視図である。
【図５】同じく、中パネルの底面図である。
【図６】同じく、小パネルの底面図である。
【図７】同じく、熱媒体管の施工方法の第１工程を示す平面図である。
【図８】同じく、熱媒体管の施工方法の第２工程を示す平面図である。
【図９】同じく、熱媒体管の施工方法の第３工程を示す平面図である。
【図１０】同じく、熱媒体管の施工方法の第４工程を示す平面図である。
【図１１】同じく、熱媒体管の施工方法の第５工程を示す平面図である。
【図１２】同じく、熱媒体管の施工方法の第６工程を示す平面図である。
【図１３】同じく、熱媒体管の施工方法の第７工程を示す平面図である。
【図１４】同じく、図１３におけるＣ−Ｃ線による拡大断面図である。
【図１５】この発明の他の実施の形態の、パネルの平面図である。
【図１６】従来のパネルを示す平面図である。
【図１７】同じく、熱媒体管を配管した状態を示す平面図である。
【符号の説明】
【００３１】
１  床
１ｂ  根太
２  熱媒体管
３  パネル（床暖房用パネル）
３ｃ  長辺
３ｄ  短辺
４  管収容溝
４ａ  第１の管収容溝
４ｂ  第２の管収容溝
４ｃ  端部
６  根太収容空間
７  切除可能部
７ａ  掘り込み線
３０１  中パネル（パネル）
【図１】
0004708902.tif 000002
【図２】
0004708902.tif 000003
【図３】
0004708902.tif 000004
【図４】
0004708902.tif 000005
【図５】
0004708902.tif 000006
【図６】
0004708902.tif 000007
【図７】
0004708902.tif 000008
【図８】
0004708902.tif 000009
【図９】
0004708902.tif 000010
【図１０】
0004708902.tif 000011
【図１１】
0004708902.tif 000012
【図１２】
0004708902.tif 000013
【図１３】
0004708902.tif 000014
【図１４】
0004708902.tif 000015
【図１５】
0004708902.tif 000016
【図１６】
0004708902.tif 000017
【図１７】
0004708902.tif 000018